(57)【要約】【課題】この発明は、シートを利用して棟瓦の施工をすることを目的としたものである。【解決手段】この発明は、棟木及び瓦の一部を覆う幅の防水シートを所定長さ毎に屈曲重ね部を設け、前記防水シートの中央部に所定幅に亘り通気部を設けると共に、前記通気部上に撥水処理を施した通気シートを層着固定したことを特徴とする棟施工用シートにより、目的を達成した。【選択図】図１
2007146630.tif 000002
【特許請求の範囲】
【請求項１】
棟木及び瓦の一部を覆う幅の防水シートを所定長さ毎に屈曲重ね部を設け、前記防水シートの中央部に所定幅に亘り通気部を設けると共に、前記通気部上に撥水処理を施した通気シートを層着固定したことを特徴とする棟施工用シート。
【請求項２】
棟木及び瓦の一部を覆う幅の弾性シートの中央部へ所定幅に亘り通気部を設けると共に、該通気部上へ防水性のある通気シートを層着し、該通気シートの上部へ小幅の補強シートを固定したとを特徴とする棟施工用シート。
【請求項３】
棟木及び瓦の一部を覆う幅になるように通気シートの長縁に沿って長手方向へ伸長できるべくプリーツ加工した防水シートを連設し、前記通気シートの中央部へ所定幅の補強シートを固定したことを特徴とする棟施工用シート。
【請求項４】
棟木及び瓦の一部を覆う幅であって、中央部へ所定幅の通気部を設けた防水シートの上部両側へ、金属網又は並列金属細線を重ね、前記防水シートの中央部へ、通気撥水性シートを層着固定し、前記金属網又は金属細線及び通気撥水性シートの上部へ、中央部に通気部を設けた防水シートを層着固定したことを特徴とする棟施工用シート。
【請求項５】
防水シートの長縁一側へ通気シートを連設し、前記防水シートは、最上部の屋根瓦の一部及び棟木の立上り部を覆う幅とし、前記通気シートは、棟木の立上り部の一部と、棟木の水平部の一部を覆う幅としたことを特徴とする棟施工用シート。
【請求項６】
請求項１乃至３記載の棟施工用シートを、断面下向コ状に成形したことを特徴とする棟施工用シート。
【請求項７】
棟木の上面へ施工用シートの通気部をのせて仮止めすると共に、前記施工用シートの長縁両側下面と瓦の上面との間へ接着剤又は粘着剤を介装して、前記施工用シートと瓦とを固着し、前記棟木上へ、棟瓦を嵌装して固定することを特徴とした棟施工方法。
【請求項８】
棟木の両側の最上部瓦へ接着剤又は粘着剤を介して施工用シートの下部を固定すると共に、前記施工用シートの上部で前記棟木を覆うように重ねて固定し、該棟木上へ棟瓦を嵌装固定することを特徴とした棟施工方法。
【請求項９】
施工用シートは、アルミ箔とポリエステル不織布とポリエステルフィルムの層着シート又はアルミ箔とオレフィンシートとの層着シートとすることを特徴とした請求項８記載の棟施工方法。
【請求項１０】
棟木の上面へ、棟施工用シートの通気部を載せ、前記棟施工用シートの両側部は最上部の瓦の一部を覆うように設置し、前記棟施工用シートを棟木に固定すると共に、前記シートの両縁部を最上部の瓦上へ固定し、前記棟木の上部へ棟瓦を嵌着固定したことを特徴とする棟施工装置。
【請求項１１】
棟木の上面へ、繊維シートと、アルミ箔とを層着した施工用シートを載せ、該施工用シートの両側部は、最上部の瓦の一部を覆うように設置して固定し、前記施工用シートを棟木に固定すると共に、前記棟木の上部へ固定した棟瓦の下縁に支持材を設置したことを特徴とする棟施工装置。
【請求項１２】
棟木の上面へ、繊維シートと、アルミ箔とを層着した施工用シートを載せ、該施工用シートの両側部は、最上部の瓦の一部を覆うように設置して固定し、前記施工用シートを棟木に固定すると共に、前記アルミ箔の一部に通気孔を設け、前記棟木の上部へ棟瓦を固定し、前記棟瓦の下縁と、前記施工用シートとの間に通気性防水材を介装したことを特徴とする棟施工装置。
【発明の詳細な説明】
【技術分野】
【０００１】
この発明は、屋根の棟瓦を設置するに当り、屋根土を使用することなく、通気性を保有して、防水及び瓦固定を確実に行なうことを目的とした棟施工用シート及び棟施工方法並びに棟施工装置に関する。
【背景技術】
【０００２】
従来瓦等を使用する棟瓦の施工については、セメントモルタル又は屋根土を使用して、防水施工と瓦固定施工をするのが普通とされている。
【０００３】
前記屋根土は予め調整（練り合せ済）した屋根土の適量を屋根瓦と下地との間に介装し、瓦の固定と、雨水等の浸入防止をして棟施工している。
【特許文献１】特公平５−６３４２６号
【特許文献２】特許第３１９６０５８号
【特許文献３】特許第２６１７１６１号
【発明の開示】
【発明が解決しようとする課題】
【０００４】
従来知られていた屋根土は、当然のこと乍ら屋根（棟）に持ち上げるのに不便であり、材料、工期、その他の条件を更に向上させる点で研究開発がなされていた。従って屋根土の性能は向上し、使用の利便性も改善されたけれども、粘土状の屋根土である点は共通していたので、依然として持ち運び及び取扱い上の利便性については色々の問題点があった。例えば、全体として重いこと（比重１．５〜２．５位）、粘土状であって、使用時に、使用箇所に適合した量を用い、適宜変形させること、固化に時間が掛かること、通気性がないので、通気の為には不使用の隙間を残す必要があり、隙間から水が入らないような工夫を要するなど幾多の問題点があった。
【課題を解決するための手段】
【０００５】
この発明は、棟及び瓦の一部を覆う幅の不通気性シートに通気部（例えば多数の通気孔）を設け、該通気部に通気シートを層着した棟施工用シートを用いることにより、屋根土なしで棟瓦を施工することに成功し、屋根土不用の施工を可能にして、前記従来の問題点を解決したのである。
【０００６】
前記棟施工用シートは、棟瓦の下面（中空部）に当る部分以外は不通気性、防水性とし、棟瓦の下面に当る部分を通気性にすると共に、最上部の屋根瓦とは防水状に接着することを要件とし、耐候性材料使用などの要件以外は使用材質に制約はない。
【０００７】
即ちこの発明は、棟木及び瓦の一部を覆う幅の防水シートを所定長さ毎に屈曲重ね部を設け、前記防水シートの中央部に所定幅に亘り通気部を設けると共に、前記通気部上に撥水処理を施した通気シートを層着固定したことを特徴とする棟施工用シートであり、棟木及び瓦の一部を覆う幅の弾性シートの中央部へ所定幅に亘り通気部を設けると共に、該通気部上へ防水性のある通気シートを層着し、該通気シートの上部へ小幅の補強シートを固定したとを特徴とする棟施工用シートである。また他の発明は、棟木及び瓦の一部を覆う幅になるように通気シートの長縁に沿って長手方向へ伸長できるべくプリーツ加工した防水シートを連設し、前記通気シートの中央部へ所定幅の補強シートを固定したことを特徴とする棟施工用シートであり、棟木及び瓦の一部を覆う幅であって、中央部へ所定幅の通気部を設けた防水シートの上部両側へ、金属網又は並列金属細線を重ね、前記防水シートの中央部へ、通気撥水性シートを層着固定し、前記金属網又は金属細線及び通気撥水性シートの上部へ、中央部に通気部を設けた防水シートを層着固定したことを特徴とする棟施工用シートである。
【０００８】
前記通気部は、例えば不通気性のアルミ箔に多数の微小孔を設けることができる。
【０００９】
次に他の発明は、防水シートの長縁一側へ通気シートを連設し、前記防水シートは、最上部の屋根瓦の一部及び棟木の立上り部を覆う幅とし、前記通気シートは、棟木の立上り部の一部と、棟木の水平部の一部（例えば１／２）を覆う幅としたことを特徴とする棟施工用シートであり、請求項１乃至３記載の棟施工用シートを、断面下向コ状に成形したことを特徴とする棟施工用シートである。
【００１０】
更に、棟木の上面へ施工用シートの通気部をのせて仮止めすると共に、前記施工用シートの長縁両側下面と瓦の上面との間へ接着剤又は粘着剤を介装して、前記施工用シートと瓦とを固着し、前記棟木上へ、棟瓦を嵌装して固定することを特徴とした棟施工方法であり、棟木の両側の最上部瓦へ接着剤又は粘着剤を介して施工用シートの下部を固定すると共に、前記施工用シートの上部で前記棟木を覆うように重ねて固定し、該棟木上へ棟瓦を嵌装固定することを特徴とした棟施工方法であり、施工用シートは、アルミ箔とポリエステル不織布とポリエステルフィルムの層着シート又はアルミ箔とオレフィンシートとの層着シートとするものである。
【００１１】
また他の発明は、棟木の上面へ、棟施工用シートの通気部を載せ、前記棟施工用シートの両側部は最上部の瓦の一部を覆うように設置し、前記棟施工用シートを棟木に固定すると共に、前記シートの両縁部を最上部の瓦上へ固定し、前記棟木の上部へ棟瓦を嵌着固定したことを特徴とする棟施工装置であり、棟木の上面へ、繊維シートと、アルミ箔とを層着した施工用シートを載せ、該施工用シートの両側部は、最上部の瓦の一部を覆うように設置して固定し、前記施工用シートを棟木に固定すると共に、前記棟木の上部へ固定した棟瓦の下縁に支持材を設置したことを特徴とする棟施工装置であり、棟木の上面へ、繊維シートと、アルミ箔とを層着した施工用シートを載せ、該施工用シートの両側部は、最上部の瓦の一部を覆うように設置して固定し、前記施工用シートを棟木に固定すると共に、前記アルミ箔の一部に通気孔を設け、前記棟木の上部へ棟瓦を固定し、前記棟瓦と、前記施工用シートとの間に通気性防水材を介装したことを特徴とする棟施工装置である。
【００１２】
前記における不通気性シートは、耐候性合成樹脂シート（例えばポリプロピレンシート、ポリウレタンシート、ポリエチレンシートとゴムシートの層着物、塩化ビニリデンシート）、又はアルミ板或いは合成樹脂シートと他の繊維を層着したシートがある。
【００１３】
また通気撥水シートとしては、フェルトシートの撥水処理（シリコン噴霧処理又はフッ素処理など）、不織布、又は連続気泡のポリウレタンその他がある。要するに、通気性撥水シートは、水を通さずに空気のみ自由に流通できることが好ましい。前記オレフィンシートは、合成樹脂シートに繊維を混入（１〜５％）したシートである。
【００１４】
前記屋根瓦において、波型の屋根瓦は、その上面が凹入（湾曲）しているので、前記棟施工用シートに伸縮性を持たせて、瓦の上面に沿って湾曲できるようにする必要がある。前記のように湾曲できる為には、棟施工用シートの両側部を伸縮性材質にし、又は折り重ね（ギャザー加工）、或いはプリーツ加工するなどの変形容易性を付与することが望ましい。
【００１５】
前記棟施工用シートと、瓦との固着には、パテ、接着剤、粘着剤又は両面接着テープなどを使用するが、接着剤又は粘着剤の耐久性と耐候性が要求されるので、慎重に選定する必要がある。例えば、施工場所が内側ならば、耐候性の点で有利（直接紫外線に触れないので）であるが、前記棟施工シートの両側部を瓦上へ固定する場合には、どうしても露出するので、高度の耐候性を要求されるか、施工時に、補修する必要がある。前記粘着剤としては、市販のシリコン粘着剤又はアクリル粘着剤があり、接着剤としては合成樹脂接着剤（市販のもの）がある。
【００１６】
前記において、通気撥水性シートは、例えば合成樹脂繊維よりなる不織布にシリコンを噴霧し、又はフッ素処理などの撥水加工を施すことが考えられる。また通気シートの上面へ不通気シートをスポット接着することも考えられる。
【００１７】
前記発明において、上下２枚の不通気性シートの間へアルミメッシュ（又はアルミ格子）を介挿すれば、前記不通気性シートを瓦に沿って湾曲成形した場合に、変形姿勢をそのまま保つことができるので、風雨による剥離、自動変形などを防止することができる。
【発明の効果】
【００１８】
この発明によれば、中央部を通気防水性シートとし、その両側部を防水シートとすると共に、瓦の上面に沿って変形できるようにしたので、前記中央部を屋根の棟部に固定し、両側部を最上部の屋根瓦上へ固定すれば、通気性と防水性を兼備した棟施工を効率よく実施し得る効果がある。
【００１９】
従って屋根土を使用することなく、棟施工を行なうことができるので、従来の屋根土使用による問題点を克服し、新施工法を確立できる効果がある。
【００２０】
またシートを主体とするので、施工時の屋根の形状、寸法の変動に対し十分対応し、通気性、防水性の相反する性質を兼備させることができる効果もある。
【発明を実施するための最良の形態】
【００２１】
この発明は、棟及び瓦の一部を覆う幅の防水シートの両外側部を変形容易なように加工し、前記防水シートの中央部へ、多数の小孔を穿設して通気部とし、該通気部の外側へ、撥水処理を施した不織布を層着して、この発明の棟施工用シートを構成した。
【００２２】
次に屋根棟の施工は、棟木の上面へ、前記施工用シートの中央部に設けた通気部を載せて仮止めすると共に（例えば釘止め）、前記施工用シートの長縁両側で瓦の上面を覆い、前記施工用シートの長縁両側の下面と、最上部の瓦の上面とをパテ（又は接着剤）で固定する。この場合に、最上部の瓦と、前記施工用シートとの隙間が生じないように、パテを充填し、又は接着する。この場合の接着は、雨水の逆流を防止することを目的とするものであって、隙間を悉く埋める必要性はない。
【００２３】
また通気部を有しない施工用シートを使用する場合には、棟木の上面へ不通気性の施工用シートの上部側を重ねて固定し、その上へ棟瓦を設置固定する。前記棟瓦の両下縁部は、上部瓦上へ設置した発泡合成樹脂製の支持材に、支持させると共に、前記施工用シートの下縁側を前記支持材の下面と上部瓦との間へ入れて固定する。前記における室内空気は、野路板の下面を伝って上部中央から野路板の上面に抜けた後、野路板上面と瓦下面の間を通過し、瓦の重なり部から、外界へ排出される。このような場合には、棟瓦の下縁と、上部瓦の上面との間は閉鎖しても、排気に支障はない（例えば施工用シートを通気性にする必要がない）。
【実施例１】
【００２４】
この発明の実施例を図１について説明すると、棟木及び両側の上部瓦の一部を覆う幅の合成樹脂シート１の中央部へ、多数の小孔２、２を穿設して、ほぼ１／３幅の通気部３を設けると共に、一定間隔毎に長縁と直角に折畳部５、５を設けた後、前記通気部３上へ、撥水処理を施した不織布４を層着固定して、この発明の施工用シート６を構成した。前記折畳部５、５は、例えばピッチＰを２０ｃｍ〜３０ｃｍとし、重なり部の伸長した長さは３ｃｍ〜６ｃｍ増加するものとする。例えばピッチの１０％〜２０％の長さを調節可能としたものである。図１（ｃ）中長さｌを、１．２ｌまで伸ばすことができる。このようにすれば、合成樹脂シートを瓦の湾曲面に沿って固定することができる。前記において、合成樹脂シート１と不織布４とが接着していても、合成樹脂シート１の縁部には、不織布４がないので、必要な長さに伸ばすことができる。
【実施例２】
【００２５】
この発明の他の実施例を図２について説明すると、棟木及び両側の上部瓦の一部を覆う幅の弾性シート７の中央部に、多数の小孔８、８を穿設して通気部９を設け、該通気部９の上部へ、撥水処理を施した通気シート１０を重ねて固定し、該通気シート１０の上部へ補強布１１を重ねて固定し、前記弾性シート７の長縁下部へ接着剤層１２を設け、該接着剤層１２の面を剥離紙１３で被着して、この発明の施工用シート１５を構成した。
【００２６】
前記において補強布１１の下部１４は無孔部である。
【００２７】
前記実施例においては、剥離紙１３を剥せば、施工用シート１５の長縁部をそのまま瓦面に当接固定することができる。
【実施例３】
【００２８】
この発明の他の実施例を図３に基づいて説明すると、通気性と防水性を兼備する中央シート１６の両長縁に、ギャザー加工を施した伸縮シート１７、１７を夫々連設して、棟木と瓦上部を覆う幅とし、前記中央シート１６の中央部へ補強シート１８を重ねて固定して、この発明の施工用シート２０を構成した。図中１９は剥離紙付の接着テープ、８は通気用の小孔であって、中央シート１６は例えば不織布に撥水処理を施した材質である。
【実施例４】
【００２９】
この発明の他の実施例を図４について説明すると、棟木及び瓦の一部を覆う幅の防水シート２１の中央部に、多数の小孔８、８を穿設した通気部２２を設け、両側部２１ａ、２１ａをプリーツ加工した（通気部２２、２２の間に不通気部２３を介装している）２枚の防水シート２１、２１を重ね合せて、その中央部に通気シート２４を介装すると共に、両側部にアルミメッシュ板２５、２５を介装して、この発明の施工用シート２６を構成した。前記通気シート２４は例えば不織布を用いる。
【００３０】
前記実施例によれば、前記通気シート２４の両側部にアルミメッシュ板２５を介装したので、該部には変形維持の保形性がある。従って、湾曲瓦面に沿った施工時の形状をそのまま長く保持することができる。
【００３１】
前記実施例１〜３は、瓦の当接する部分が何れもシートであるから、瓦面に当接し、これを接着剤によって接着すれば、保形性は保たれる。
【実施例５】
【００３２】
この発明の他の実施例を図５について説明すると、帯状のプリーツシート３７の一側へ帯状の防水シート３８の一側を連設し、該防水シート３８の他側へ多数の小孔３９、３９を設けて通気部４１とし、該通気部４１上へ不織布４２を重設してこの発明の施工用シート４０とする。前記不織布４２は通気性を有すると共に、シリコン樹脂を噴霧して撥水性を付与してある。
【００３３】
前記プリーツシート３７と、防水シート３８を連結した幅は、棟木と、上部瓦の一部を覆う幅の１／２とする。即ちこの実施例の施工用シート４０を２枚使用して、棟木と上部瓦の一部を覆うことができるようにしてある。
【００３４】
前記実施例の施工用シート４０は、左右対称形である為に、同一物を２枚使用することにより目的を達成することができる。そこで一つの棟施工に際し、施工用シート４０を一対（２枚）使用すればよいことになる。
【実施例６】
【００３５】
この発明の他の実施例を図６について説明する。前記実施例１〜４は、何れも平板状シートを棟木上へ被着し、棟瓦を嵌装して、固定している。
【００３６】
この実施例は、実施例１〜５の施工用シートを、棟木２７に嵌装できるコ状の施工材２８（図６）に成形し、施工時には、棟木２７へ被冠するのみとしたものであって、防水シート２９の中央の通気部３１に多数の小孔３０を穿設し、通気部３１上に通気シート３２を重ねて、補強板３３を介して棟木２７に固定する（図７）。
【００３７】
前記補強板３３の外側へ棟瓦３４を嵌装し、ビス３６で固定する。前記コ状材２８の下部のシート部を、最上部の瓦３５に粘着剤で固定すれば、この発明の棟の施工が完了する。図中４３は桟木、４４は棟木支持枠、６９は野路板、７０は垂木である。
【実施例７】
【００３８】
前記実施例１〜４の施工用シート６を用いて棟施工するには、棟木２７上へ、施工用シート６の中央部を仮止めした後、前記施工用シート６の外縁部を、最上部の瓦３５の上部へ、粘着固定した後（例えば、パテ、接着剤などで固定）、棟瓦３４をビス３６で固定すれば、この発明の棟施工を完了する（図７、８）。
【００３９】
前記において、室内又は瓦下地間隙から上昇した空気は、矢示４５、４６、４７のように上昇し、流動し、棟瓦３４の下縁間隙から矢示４８のように外界へ排出するので、換気と、乾燥に有効である（図８）。
【実施例８】
【００４０】
この発明の他の実施例を図９、１０について説明する。前記実施例７においては、施工用シート６の中央部を棟木２７上へ仮止して、施工を開始したが、この実施例８では、施工用シート５０の一方の長縁側の端部５１を最上段の瓦３５の上部へ重ね、前記端部５１の下面と、瓦３５の上面との間に粘着剤５４を介装し、隙間なく粘着する。この場合に施工用シート５０は、棟木２７へ固定される。
【００４１】
前記施工用シート５０は、２分の１の幅であって、最上部の瓦３５の上面と、棟部の立上り及び棟木２７の上部を覆う幅になっている。また瓦３５は湾曲している為に、他端より長くなっている。従って瓦３５の上面に合せて施工用シート５０を粘着剤で固定すると、補強シート５２、撥水シート５３が有り余る。従って棟木２７上の施工シート端部５６も余って皺を生じるので、この部分は切込み５７を入れて余分を予め除き、皺が多くならないように調整してある。前記端部５１をプリーツ加工して予め他部より長くしておけば、前記他の端部５６に切込み５７を設ける必要はない。前記における通気は、瓦と瓦の間隙で行われる。
【００４２】
この施工用シート５０の補強シート５２は、撥水シート５３を覆っているが、共に不織布を加工して作る。
【００４３】
前記のように、施工用シート５０の一側を粘着剤５４で固定した後、他側を棟木２７上へ重ねて固定し、ついで棟瓦３４を被冠して固定すれば、この発明の施工を完了する。図中５５は通気孔、６９は野路板、７０は垂木であって、補強シート５２及び撥水シート５３は共に通気性がある。
【実施例９】
【００４４】
この発明の他の実施例を図１１について説明すると、棟木２７の上面へ、左右の施工用シート６０、６０の上部を重ね、その上に棟瓦３４を被冠して、ビス３６で固定する。前記施工用シート６０、６０の左右両側部は、最上部の瓦３５、３５の一部を覆うように設置し、粘着剤５９で固定する（前記粘着剤に代えて接着剤を用いることもできる）。
【００４５】
前記施工用シート６０は、繊維シート６１の上面へアルミ箔６２を層着して構成してあり、前記左右の施工用シート６０、６０の少なくとも一方のアルミ箔６２に通気孔６３を設ける。また通気孔６３を設けた側の棟瓦３４と瓦３５との間隙部へ、連続気泡のスポンジ６４、６４（通気性防水材）を介装し、該間隙部のスポンジ６４を介し、排気するけれども、水が侵入しないようにしてある。図中４３は桟木、４４は棟木２７の支持枠、６５はスポンジ６４の下部に設けた排水溝である。前記スポンジ６４は硬質であって、煉瓦３４を安定支持している。この実施例は、左右のアルミ箔に通気孔を設けてあるので、スポンジ６４は左右両側に設けた。
【００４６】
前記実施例においては、スポンジ６４を介装したが、構造によってはスポンジ６４がなくてもよい場合もある。前記スポンジ６４を介装すると、煉瓦３４を支持し、これを安定させることができる。
【００４７】
前記繊維シートとしては、強靱で耐候性があれば、何れも使用できるが、素材はガラス、フッ素樹脂、炭素繊維、アラミド繊維又はその他の化学繊維に耐候性を付して使用する。前記素材を織物、又は不繊布として用いる。
【００４８】
前記実施例においては、瓦と繊維とを粘着剤で固定したが、粘着剤に代えて接着剤（一般に耐候性のある建材用接着剤）を使用することもある。この実施例によれば、防水、通気は完璧であり、排気（換気）は容易である。
【実施例１０】
【００４９】
この発明の実施例を図１２について説明すると、棟木用支持枠４４で支持された棟木２７の上面へ、左右の不通気性の施工用シート７１、７１の上端側を重ね、その上へ棟瓦３４を被冠してビス３６で固定する。前記施工用シート７１、７１の下端側は、前記棟瓦３４の支持材７２、７２と最上部の瓦３５に固定（例えば接着剤で固定）してある。
【００５０】
また前記瓦３５は、野路板６９上へ設置した支持枠７３（例えば合成樹脂製、最上部の瓦３５を支持すると共に、通気性を確保してある）上へ桟４３を介して固定されている。
【００５１】
前記において室内から屋根裏へ上昇した空気は、野路板６９、６９の間隙７４と、前記支持枠７３の通気孔を経て矢示７５、７６、７７のように、瓦の下へ入り、各瓦の隙間から外界へ排出される。従って前記施工用シート７１、７１は不通気性であっても支障はない。
【００５２】
前記のように、瓦３５などの間隙から排気される場合には、施工用シート７１は不通気性でよいことになる。
【図面の簡単な説明】
【００５３】
【図１】（ａ）この発明のシートの実施例の一部平面図、（ｂ）同じく（ａ）中Ａ−Ａ断面図、（ｃ）同じく一部断面拡大図（伸長の説明）。
【図２】（ａ）同じく他の実施例の一部平面図、（ｂ）同じく（ａ）中Ｂ−Ｂ断面図。
【図３】（ａ）同じく他の実施例の一部平面図、（ｂ）同じく正面図。
【図４】（ａ）同じく他の実施例の一部平面図、（ｂ）同じく正面図。
【図５】（ａ）同じく他の実施例の平面図、（ｂ）同じく正面図。
【図６】同じく他の実施例の一部拡大斜視図。
【図７】同じく棟施工後の一部断面図。
【図８】同じく他の実施例の棟施工後の一部断面図。
【図９】（ａ）同じくシートの一部平面図、（ｂ）同じく正面図。
【図１０】同じく図９のシートを使用した棟施工の一部断面図。
【図１１】同じく他の実施例の一部を省略した断面図。
【図１２】同じく他の実施例の一部を省略した断面図。
【符号の説明】
【００５４】
１  合成樹脂シート
２、８  小孔
３、９、２２  通気部
４  不織布
５  折畳部
６、１５、２０、２６、４０、７１  施工用シート
７  弾性シート
１０  通気シート
１１  補強布
１２  接着剤層
１３  剥離紙
１６  中央シート
１７  伸縮シート
１８  補強シート
２１  防水シート
２３  不通気部
２４  通気シート
２５  アルミメッシュ板
２６、４０、５０、６０  施工用シート
２７  棟木
２８  施工材
２９  防水シート
３４  棟瓦
３５  最上段の瓦
４３  桟木
４４  棟木支持枠
５２  補強シート
５３  撥水シート
５４  粘着剤
６１  アルミ箔
６３  通気孔
６４  スポンジ
６５  排水溝
【図１】
2007146630.tif 000003
【図２】
2007146630.tif 000004
【図３】
2007146630.tif 000005
【図４】
2007146630.tif 000006
【図５】
2007146630.tif 000007
【図６】
2007146630.tif 000008
【図７】
2007146630.tif 000009
【図８】
2007146630.tif 000010
【図９】
2007146630.tif 000011
【図１０】
2007146630.tif 000012
【図１１】
2007146630.tif 000013
【図１２】
2007146630.tif 000014